(57)【要約】【課題】  たとえ遊技を長時間行っても、腕が疲労することを防ぐことが可能な遊技機を提供する。【解決手段】  遊技機１の発射ハンドル９には、回動する角度によって遊技玉の打ち出し強さを調整し得る回動ハンドル９ｂと、該回動ハンドル９ｂを回動方向にて打ち出し停止位置へ常時付勢するバネ機構とが備えられている。この回動ハンドル９ｂに、指を挿入し得ると共に、バネ機構の付勢力を挿入した指で受圧し得る方向に形成された穴部９ｅを備える。それにより、遊技者は穴部９ｅに挿入した指でバネ機構の付勢力を受圧することができ、発射ハンドル９を握る必要をなくなるため、例えば遊技が長時間になっても、遊技者の腕に疲労を与えることを防ぐこと可能となる。【選択図】      図２
2005278833.tif 000002
【特許請求の範囲】
【請求項１】
回動自在に設けられ、打ち出し停止位置より回動する角度によって遊技玉の打ち出し強さを調整し得る回動操作部と、前記回動操作部を回動方向にて前記打ち出し停止位置へ常時付勢する付勢手段と、を有するハンドル装置を備えた遊技機において、
前記回動操作部に、指を挿入し得ると共に、前記付勢手段の付勢力を前記挿入した指で受圧し得る方向に形成された穴部を備えた、
ことを特徴とする遊技機。
【請求項２】
前記ハンドル装置の下方側に、前記回動操作部の穴部に指を挿入した状態の手を載置し得る載置手段を備えた、
ことを特徴とする請求項１記載の遊技機。
【発明の詳細な説明】
【技術分野】
【０００１】
本発明は、パチンコ機等の遊技機に関し、詳しくは付勢手段により打ち出し停止位置に付勢されると共に、回動する角度によって遊技玉の打ち出し強さを調整し得る回動操作部を有するハンドル装置を備えた遊技機に関する。
【背景技術】
【０００２】
一般に、遊技機、例えばパチンコ機として、球受け皿に滞留している遊技玉が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（特許文献１参照）。
【０００３】
例えばこのようなパチンコ機では、一般入賞口に入球した際にそれに対応した個数の遊技玉が払い出され、またスタートチャッカーに入球した際にはこれに基づいて大当たり抽選が行われると共に所定数の遊技玉が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技玉が払い出される状態となる。
【０００４】
ところで、一般に、上述の遊技機の発射ハンドルには、ハンドルシャフトに対して回動自在で、指を掛けるための凸部が形成された回動操作部が設けられており、遊技者が発射ハンドルを握って指で凸部を押圧する形で回動操作部を例えば時計回りに回動すると、その回動角度に応じて打ち出し強さが調整できるようになっている。このような発射ハンドルの回動操作部は、例えば遊技者が居ない際に打ち出しが行われないように、遊技者が手を離すと、打ち出し停止位置になるようにバネ等の付勢手段が設けられている。
【０００５】
【特許文献１】特開２００３−２３６２１０号公報
【発明の開示】
【発明が解決しようとする課題】
【０００６】
しかしながら、発射ハンドルの回動操作部は、常時打ち出し停止位置に付勢手段（バネ等）により付勢されているため、たとえ凸部に指を掛けていたとしても、適度な握力で発射ハンドルを握らないと回動操作部が動いてしまう。そのため、特に遊技が長時間になると、遊技者の腕に疲労を与える虞があり、それにより遊技者が遊技に集中できない虞もあった。
【０００７】
そこで本発明は、ハンドル装置の回動操作部に、指を挿入し得ると共に付勢手段の付勢力を挿入した指で受圧し得る方向に形成された穴部を備え、もって上記課題を解決した遊技機を提供することを目的とするものである。
【課題を解決するための手段】
【０００８】
請求項１に係る本発明は、回動自在に設けられ、打ち出し停止位置より回動する角度によって遊技玉の打ち出し強さを調整し得る回動操作部（９ｂ）と、前記回動操作部（９ｂ）を回動方向にて前記打ち出し停止位置へ常時付勢する付勢手段と、を有するハンドル装置（９）を備えた遊技機（１）において、
前記回動操作部（９ｂ）に、指を挿入し得ると共に、前記付勢手段の付勢力を前記挿入した指で受圧し得る方向に形成された穴部（９ｅ）を備えた、
ことを特徴とする遊技機（１）にある。
【０００９】
請求項２に係る本発明は、前記ハンドル装置（９）の下方側に、前記回動操作部（９ｂ）の穴部（９ｅ）に指を挿入した状態の手を載置し得る載置手段（４０）を備えた、
ことを特徴とする請求項１記載の遊技機（１）にある。
【００１０】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１１】
請求項１に係る本発明によると、遊技者は穴部に挿入した指で付勢手段の付勢力を受圧することができ、ハンドル装置を握る必要をなくすことができる。それにより、例えば遊技が長時間になっても、遊技者の腕に疲労を与えることを防ぐことができ、疲労によって遊技に集中できなくなることを防ぐことができる。また、ハンドル装置を長時間握る必要がないので、例えば女性や年配者のような、握力の弱い人であっても、疲労することなく遊技を行うことを可能とすることができる。
【００１２】
請求項２に係る本発明によると、遊技者は、穴部に指を挿入した状態の手を載置手段に載置することができるので、ハンドル装置を握らなくても、手をハンドル装置上に保持することができ、それにより、例えば遊技が長時間になっても、遊技者の腕に疲労を与えることを防ぐことができる。
【発明を実施するための最良の形態】
【００１３】
以下、本発明に係る遊技機の実施形態として、遊技場等に設置されるパチンコ機を図１乃至図３に沿って説明する。
【００１４】
なお、図１は本発明に係るパチンコ機の外部構造を示す正面図、図２は発射ハンドルを示す拡大正面図、図３は本発明に係る別の実施形態のパチンコ機の外部構造を示す斜視図である。
【００１５】
本パチンコ機（遊技機）１は、詳しくは後述する発射ハンドル（ハンドル装置）９の操作による打球装置（図示せず）の作動で遊技玉を遊技盤面部７上に打ち出しつつ遊技を行うもので、例えば図示を省略したスタートチャッカー（抽選入賞口）に遊技玉が入賞することで、不図示のアタッカー（大入賞口）の開閉に関する抽選を行い、抽選の当選、いわゆる大当たりが発生した状態で該アタッカーに入球した遊技玉に対応する数の遊技玉を払い出すように構成されている。この大当たりには、抽選の結果に基づいて選択される「通常大当たり」や「確立変動大当たり」などの種類があり、例えば確立変動大当たりの際には、上記スタートチャッカーに入賞した際の抽選における大当たりの確立が高くなると共に、次なる大当たりを引くまでの間、遊技者に有利な付加価値を付与し得る特殊状態となる。
【００１６】
なお、本実施の形態では、いわゆる確立変動デジパチの遊技機を一例として説明しているが、これに限らず、いわゆる（確立変動当たりがない）デジパチ、権利物、羽根物、一般電役、アレパチ、普通機、普通電役などの遊技機であってもよい。
【００１７】
図１に示すように、本パチンコ機１は、開口部を有する枠体状の筐体２と、筐体２に上下のヒンジ機構２６ａ，２６ｂを介して開閉可能に装着された前扉３とを有しており、前扉３の前面には、透明ガラス６を有するガラス枠５が開閉可能に取付けられている。透明ガラス６の奥側には遊技盤面部７が配置されており、ガラス枠５における遊技盤面部７の左右及び上部には演出用照明装置２３が配置されている。前扉３の下部には、スピーカ（図示せず）を有する放音装置８が配置されている。また、ガラス枠５における中央部右方には、前扉３を筐体２側に施錠又は解放するための施錠装置４が配置されている。
【００１８】
前扉３における下部中央には遊技玉の受皿１３ａを有する上皿ユニット１３と遊技玉の受皿１５ａを有する下皿ユニット１５が設けられている。上皿ユニット１３における左上部には、賞球及び貸球を含む遊技玉が供給される球供給口１８が設けられ、上皿ユニット１３における右上部壁面には、球貸ボタン１４ａ及びプリペイドカード返却ボタン１４ｂが設けられている。
【００１９】
球供給口１８の奥側には、受皿１３ａに遊技玉が満たされている場合に溢れた遊技玉を、下皿ユニット１５の受皿１５ａに開口した球排出口１９へ導く導通路（不図示）が設けられており、即ち溢れた形の遊技玉は、受皿１５ａに排出される。また、下皿ユニット１５には、レバー２０が設けられており、該レバー２０をスライドすると、受皿１５ａの底部分にあるスライド板２１が開いて、該受皿１５ａの遊技玉が下方に排出される。
【００２０】
そして、前扉３における下皿ユニット１５の右側には、遊技玉を遊技盤面部７に向けて打ち出す打球装置に指令信号を、遊技者の操作に基づき出力する発射ハンドル９が設けられている。なお、下皿ユニット１５の左側には、灰皿２４が配置されている。
【００２１】
つづいて、本発明の要部となる発射ハンドル９について図２に沿って詳細に説明する。図２に示すように、発射ハンドル９は、上記前扉３に対して固定されたハンドルシャフト９ｆ（図３参照）と、該ハンドルシャフト９ｆに固定された握部９ａと、それらハンドルシャフト９ｆや握部９ａに対して回動自在に設けられた回動ハンドル（回動操作部）９ｂとが備えられており、該回動ハンドル９ｂは、握部９ａ内に配設されたバネ機構（付勢手段、不図示）により図中左回り（反時計回り）方向へ常時付勢されている。
【００２２】
また、握部９ａ内には、回動ハンドル９ｂの回動角度に応じて電気信号（例えば角度に応じた電流値）を打球装置に出力するボリュームスイッチ（不図示）が配設されており、つまり該回動ハンドル９ｂの回動角度により遊技玉の打ち出し強さが調整される。また、該回動ハンドル９ｂが左回り方向の最端の位置では、該ボリュームスイッチが切れて電気信号が打球装置に出力されず、つまり遊技玉の打ち出し停止位置となる。
【００２３】
なお、図示を省略した打球装置は、上記電気信号に基づき駆動トルクが調整された形で駆動するモータと、該モータの出力により振り子状に駆動されるノックアームなどから構成されており、上述の上皿ユニット１３の受皿１３ａから打ち出し毎にセットされる遊技玉が、該ノックアームにより弾き出され、これにより上記遊技盤面部７内に遊技玉が打ち出される。また、握部９ａ及び／又は回動ハンドル９ｂは、外側表面に金属メッキなどが施されて、その金属メッキ自体がセンサとなる形で遊技者の静電容量が検出可能となっており、その検出された静電容量が一定量以上である場合に、打球装置が駆動するようになっている。
【００２４】
上記回動ハンドル９ｂには、外周側に爪状の凸部９ｃと、全体視略々円筒形状のケース９ｄとが、該回動ハンドル９ｂに一体的に固着されて設けられている。そして、該ケース９ｄには、穴部９ｅが回動方向の接線方向に対して略々垂直方向に、即ち、該穴部９ｅに遊技者の指が挿入し得るように形成されている。なお、例えばケース９ｄを外径側に伸縮自在に構成したり、該ケースを分割し、バネ等により分割したケースで遊技者の指を狭持するような構成にしたりすることで、穴部９ｅを遊技者の指のサイズ（太さ）に合わせられるようにしてもよい。また、本実施形態では、ケース９ｄは、指の挿入方向に対して一方側だけ開口した形となっており、即ち奥側が塞がれた形となっているが、これに限らず、指の挿入方向に対して両側を開口して形成し、つまり指を挿入する際に、ケース９ｄを貫通して挿入できるようにしておいてもよい。
【００２５】
即ち、遊技者が当該パチンコ機１で遊技を行う場合には、発射ハンドル９の回動ハンドル９ｂに備えられたケース９ｄの穴部９ｅに指を挿入した状態で、該回動ハンドル９ｂを図中矢印で示す右回り（時計回り）方向に回動し、遊技玉の打ち出し強さを調整する。このように回動ハンドル９ｂを回動させると、上記バネ機構により回動ハンドル９ｂは、図中左回り方向に常時付勢された状態であるが、穴部９ｅが回動方向（付勢方向）に対して略々垂直方向に形成されているので、穴部９ｅに挿入した指がその付勢力を受圧する。この際、例えば遊技者が発射ハンドル９の握部９ａを握らなくても（握力を入れなくても）、穴部９ｅに挿入した指が抜けることはなく、遊技者の手の位置が動かなければ、回動ハンドル９ｂの回動角度も変わることはない。
【００２６】
従って、本実施形態におけるパチンコ機１によると、遊技者は発射ハンドル９の握部９ａ等に手を載せているだけで遊技を行うことができ、発射ハンドル９を遊技中の間、握っている必要をなくすことができる。それにより、例えば遊技が長時間になっても、遊技者の腕に疲労を与えることを防ぐことができ、疲労によって遊技に集中できなくなることを防ぐことができる。また、発射ハンドル９を長時間握る必要がないので、例えば女性や年配者のような、握力の弱い人であっても、疲労することなく遊技を行うことを可能とすることができる。
【００２７】
つづいて、本発明に係る別の実施形態を図３に沿って説明する。なお、図１に示すパチンコ機１と同様な部分には、同符号を付して、その説明を省略する。
【００２８】
図３に示すように、本パチンコ機１においては、発射ハンドル９の下方側に載置板（載置手段）４０が備えられている。該載置板４０は、発射ハンドル９の下方側において、上記回動ハンドル９ｂの穴部９ｅに指を挿入した状態の手を載置し得るような位置に配設されている。なお、遊技機１の左側には、プリペイドカード挿入口３１を有する遊技玉供給装置３０が設けられており、該遊技玉供給装置３０は、上述の球貸ボタン１４ａ及びプリペイドカード返却ボタン１４ｂの押下に応じて、遊技玉の供給やプリペイドカード挿入口３１よりプリペイドカードの返却を行う。
【００２９】
従って、本実施形態におけるパチンコ機１によると、遊技者は、穴部９ｅに指を挿入した状態の手を載置板４０に載置することができるので、発射ハンドル９を握らなくても、手を発射ハンドル９上に保持することができ、それにより、例えば遊技が長時間になっても、遊技者の腕に疲労を与えることを防ぐことができる。
【００３０】
なお、この載置板４０は、例えば遊技者によって邪魔となる場合、前扉３の開閉時に邪魔になる場合などを考慮し、前扉３の奥側に向けて収納可能にしたり、或いは折りたたみ可能にしたり、或いは前扉３を開けた際に取り外し可能したりすることが考えられる。
【００３１】
つづいて、本発明に係る更に別の実施形態を図４（ａ）に沿って説明する。図４は発射ハンドル及び打球装置を示す図で、（ａ）は一部断面側面図である。なお、図１に示すパチンコ機１と同様な部分には、同符号を付して、その説明を省略する。
【００３２】
上記実施形態において説明したパチンコ機１は、上述したように発射ハンドル９の握部９ａ及び／又は回動ハンドル９ｂに施した金属メッキなどがセンサとなる形で遊技者の静電容量を検出し、それによって遊技者が触れているものとして、打球装置が駆動するようになっている。
【００３３】
一方、本実施形態のパチンコ機１は、上述した発射ハンドル９の穴部９ｅ内に光学センサを設けて、遊技者が触れていることを検出するものである。
【００３４】
上述した実施形態と同様に、発射ハンドル９には、図４（ａ）に示すように、握部９ａ、回動ハンドル９ｂ、凸部９ｃ、穴部９ｅを有するケース９ｄ、ハンドルシャフト９ｆなどから構成されており、本実施形態の穴部９ｅの内周面には、光学センサ９ｇが設けられている。
【００３５】
なお、打球装置１０は、図４（ａ）に示すように、軸部１０ｂを有するロータリソレノイド１０ａと、該ロータリソレノイド１０ａの軸部１０ｂに固着されたノックアーム１０ｃとを備えており、該ノックアーム１０ｃの一方側の先端部分に槌先ゴム１０ｄが設けられていると共に、他方側にバネ１０ｅが打球装置１０本体との間に縮設されて構成されている。
【００３６】
例えば遊技者が当該パチンコ機１で遊技を行う場合には、発射ハンドル９の回動ハンドル９ｂに備えられたケース９ｄの穴部９ｅに指を挿入した状態で、遊技玉の打ち出し強さを調整する形で該回動ハンドル９ｂを図中矢印で示す右回り（時計回り）方向に回動する。この際、上記光学センサ９ｇが、発した光線に対して遊技者の指が挿入された穴部９ｅ内の光度を検出し、図示を省略した発射制御基板の演算部に信号出力する。また同時に、上記ボリュームスイッチ（不図示）により回動ハンドル９ｂの回動角度も検出して該発射制御基板の演算部に信号出力する。
【００３７】
そして、発射制御基板の演算部は、光学センサ９ｇからの信号出力を受けて、それを遊技者の脈拍として検出する。なお、周知ではあるが、例えば指などは、脈拍に応じて血管が伸縮することでその透明度が変化するため、脈拍を検出することが可能である。
【００３８】
また、発射制御基板の演算部は、脈拍が例えば３０以上である際、即ち穴部９ｅ内の光度が例えば毎分３０回以上で振動している際は、脈拍があるとして検出し、脈拍が例えば３０以下である際は、脈拍として検出しない。一般に、脈拍が３０以下の人は存在しないため、これにより脈拍の有無を誤検出することを防ぐことが可能となる。
【００３９】
発射制御基板の演算部は、このように脈拍を検出すると、打球装置１０に打ち出し許可の指令を出力し、該発射装置１０のロータリソレノイド１０ａがボリュームスイッチからの信号に応じて駆動し、ストローク量を調整する形で軸部１０ｂ及びノックアーム１０ｃを待機位置（打球位置）よりバネ１０ｅの付勢に反してストロークする。この間に、図示を省略した発射レール上のセット位置に遊技玉が載置され、該ロータリソレノイド１０ａによるストロークが終了して解除されると、バネ１０ｅの弾性力によってノックアームが待機位置（打球位置）に復帰すると共に、上記セット位置に載置された遊技玉が槌先ゴム１０ｄにより弾かれる形で発射レールを介して上記遊技盤面部７内に打ち出される。
【００４０】
従って、本実施形態におけるパチンコ機１によると、指を穴部９ｅに挿入することで、発射ハンドル９を遊技中の間、握部９ａを握っている必要をなくすことができるものでありながら、例えば個人差による遊技者の静電容量不足などによって遊技者の静電容量が検出できない等の問題をなくし、遊技者の指が挿入された場合に、必ず遊技玉の発射を行うようにすることができる。
【００４１】
つづいて、上記図４（ａ）に示した実施形態を一部変更した、更に別の実施形態を図４（ｂ）に沿って説明する。図４は発射ハンドル及び打球装置を示す図で、（ｂ）は別の実施形態におけるケース９ｄを示す拡大断面図である。なお、図１及び図４（ａ）に示すパチンコ機１と同様な部分には、同符号を付して、その説明を省略する。
【００４２】
上述したケース９ｄ内には、例えばＬＥＤなどからなる発光体９ｈと、受光センサ９ｉとが備えられている。また、ケース９ｄの穴部９ｅの上方側内周面は研磨されており、光を反射する反射部９ｊとなっている。なお、反射部９ｊは、ケース９を研磨して光を反射するように構成しているが、研磨する代わりに、例えば鏡などの反射板を配設するようにしてもよい。
【００４３】
上記穴部９ｅ内に何も挿入されていない場合は、図４（ｂ）中の矢印で示すように、発光体９ｈからの光が反射部９ｊを介して受光センサ９ｉにより検出されている状態である。また、例えば該穴部９ｅに遊技者の指が挿入されると、発光体９ｈからの光が遮断され、受光センサ９ｉにより光が検出されなくなる。つまり、受光センサ９ｉにより光が検出されなくなったことにより、遊技者が指を穴部９ｅに挿入したことを検出し、それによって遊技者が発射ハンドル９に触れていることとして検出する。
【００４４】
なお、上述の実施形態と同様に、遊技者が触れていることを検出すると、不図示の発射制御基板の制御部から打球装置１０に発射許可が指令され、つまり上記ボリュームスイッチからの出力信号に応じて上記ロータリソレノイド１０ａに打ち出し指令を行って、上述のように遊技玉の打ち出しが行われる。
【００４５】
従って、本実施形態におけるパチンコ機１によると、指を穴部９ｅに挿入することで、発射ハンドル９を遊技中の間、握部９ａを握っている必要をなくすことができるものでありながら、例えば個人差による遊技者の静電容量不足などによって遊技者の静電容量が検出できない等の問題をなくし、遊技者の指が挿入された場合に、必ず遊技玉の発射を行うようにすることができる。
【００４６】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【００４７】
また、本実施の形態においては、回動ハンドル９ｂに１つの穴部９ｅを備え、つまり１本の指を挿入するものについて説明したが、これに限らず、２つの穴部ないし５つの穴部を備えたものであってもよい。また５つの穴部を備える場合には、略々円筒形状のケース９ｄに穴部９ｅを形成するのではなく、例えば握部９ａよりも外径の大きな円板状の回動ハンドル９ｂを形成し、該円板状の回動ハンドル９ｂに５つの穴部を穿設するようにしてもよい。
【図面の簡単な説明】
【００４８】
【図１】本発明に係るパチンコ機の外部構造を示す正面図。
【図２】発射ハンドルを示す拡大正面図。
【図３】本発明に係る別の実施形態のパチンコ機の外部構造を示す斜視図。
【図４】発射ハンドル及び打球装置を示す図で、（ａ）は一部断面側面図、（ｂ）は別の実施形態におけるケース９ｄを示す拡大断面図。
【符号の説明】
【００４９】
１    遊技機
９    ハンドル装置
９ｂ    回動操作部
９ｅ    穴部
４０    載置手段
【図１】
2005278833.tif 000003
【図２】
2005278833.tif 000004
【図３】
2005278833.tif 000005
【図４】
2005278833.tif 000006